【事件の表示】
　特願２０１６−５６１３２８「特定イベントの特定マーチャンダイジング物品用の熱転写物及びその使用方法」拒絶査定不服審判事件〔平成２７年１０月１５日国際公開、ＷＯ２０１５／１５６８４９、平成２９年　８月３１日国内公表、特表２０１７−５２４５５３、請求項の数（１４）〕について、次のとおり審決する。
【結　論】
　原査定を取り消す。
　本願の発明は、特許すべきものとする。
【理　由】
第１　事案の概要
　１　手続等の経緯
　特願２０１６−５６１３２８号（以下「本件出願」という。）は、２０１４年（平成２６年）１２月２９日（パリ条約による優先権主張　外国庁受理２０１４年４月７日　米国）を国際出願日とする出願であって、その手続等の経緯の概要は、以下のとおりである。
　平成３０年　５月３１日付け：拒絶理由通知書
　平成３０年　８月２８日付け：意見書・手続補正書
　平成３１年　１月１１日付け：拒絶理由通知書（最後）
　令和　元年　５月１４日付け：意見書・手続補正書
　令和　元年１０月　７日付け：拒絶査定（以下「原査定」という。）
　令和　２年　２月１４日付け：審判請求書・手続補正書
　２　原査定の理由
（１）新規性
　本件出願の請求項１〜４に係る発明は、優先権主張の日（以下「本件優先日」という。）前に日本国内又は外国において、頒布された下記の引用文献１〜３に記載された発明であるから、特許法２９条１項３号に該当し、特許を受けることができない。
（２）進歩性
　本件出願の請求項１〜４、９に係る発明は、本件優先日前に日本国内又は外国において、頒布された又は電気通信回線を通じて公衆に利用可能になった下記の引用文献１〜９及び参考文献１０〜１４に記載された発明に基づいて、その出願前にその発明の属する技術の分野における通常の知識を有する者（以下「当業者」という。）が容易に発明をすることができたものであるから、特許法第２９条第２項の規定により特許を受けることができない。
引用文献１：特開２０１０−２１４６３６号公報
引用文献２：特表２００１−５０４４０４号公報
引用文献３：米国特許出願公開第２００３／０２１３８４２号明細書
引用文献４：特開平１１−５２８６３号公報
引用文献５：米国特許第５３６４６８８号明細書
引用文献６：米国特許第４６１０９０４号明細書
引用文献７：米国特許出願公開第２０１２／０３２０４２８号明細書
引用文献８：特開平１０−１５７３９９号公報
引用文献９：特開昭６１−２５４３９９号公報
参考文献１０：韓国公開特許第１０−２０１３−０１０４８０９号公報
参考文献１１：韓国公開特許第１０−２０１３−０１２３０１８号公報
参考文献１２：米国特許出願公開第２０１２／０１７４２８８号明細書
参考文献１３：2013SEASON LAST3 GAMES 「Ｔシャツチケット」販売開始のお知らせ，［online］，日本，東京ベルディ，２０１３年９月２６日，インターネット＜ URL：https://www.verdy.co.jp/news/1593＞
参考文献１４：特開２０１４−８１９０７号公報
（当合議体注：主引用例は引用文献１〜３であり、引用文献４〜７は請求項１〜４に対しての周知例として引用された文献であり、引用文献８〜９は請求項９に対しての周知例として引用された文献であり、参考文献１０〜１４は一般的な技術水準を示す文献として、それぞれ引用されたものである。）
　３　本願発明
　本件出願の請求項１〜請求項１４に係る発明は、令和２年２月１４日にした手続補正（以下「本件補正」という。）後の特許請求の範囲の請求項１〜請求項１４に記載された事項によって特定されるとおりの、以下のものである。
「　　【請求項１】
　特定イベントの特定マーチャンダイジング物品用の独特の熱転写物であって、
　基礎材料に適用される印刷物を含み、
　前記基礎材料は、前記特定マーチャンダイジング物品である衣類品の一部であり、
　前記印刷物は、視覚的に認識可能な情報を有し、前記視覚的に認識可能な情報は、テキスト、写真、数字、バーコード、及びＱＲコード（登録商標）を含み、
　前記印刷物を有する前記衣類品は、前記特定イベントの入場券であり、
　前記入場券としての機能は、販売されない衣類品に対しては無効に設定され、
　固有のバーコードおよび／またはＱＲコードがイベントの詳細を提供し、前記衣類品が２以上の固有の熱転写物を有する、独特の熱転写物。
　　【請求項２】
　前記テキスト及び写真は、スポンサーのイメージ又は前記特定イベントのロゴを含む、請求項１に記載の独特の熱転写物。
　　【請求項３】
　前記テキスト及び写真は、前記特定イベントの入場券を含む、請求項１に記載の独特の熱転写物。
　　【請求項４】
　前記特定イベントの入場券は、前記特定イベントのユーザ及び座席位置を識別する、請求項３に記載の独特の熱転写物。
　　【請求項５】
　前記特定イベントは、スポーツゲーム、コンサート、見本市、エンターテイメント又は遊園地、貿易博覧会、及びグルメイベントを含む、請求項１に記載の独特の熱転写物。
　　【請求項６】
　紫外線硬化型インキは、前記入場券が本物であり、前記ユーザが適法に取得したことを保障するために偽造防止機能に用いられる、請求項１に記載の独特の熱転写物。
　　【請求項７】
　前記基礎材料は、織物材料、不織布材料、天然材料、又は合成材料を含む、請求項１に記載の独特の熱転写物。
　　【請求項８】
　前記衣類品は、Ｔシャツ、帽子、ジャージー、セーター、又は衣類アクセサリーを含む、請求項１に記載の独特の熱転写物。
　　【請求項９】
　特定イベントのためのマーチャンダイジング物品であって、
　独特の熱転写物を含み、
　前記熱転写物は、基礎材料に適用される印刷物を含み、
　前記基礎材料は、衣類品の一部であり、
　前記印刷物は、テキスト、写真、数字、バーコード、及びＱＲコード（登録商標）を含む視覚的に認識可能な情報であり、
　前記印刷物を有する前記衣類品は、前記特定イベントの入場券であり、
　前記入場券としての機能は、販売されない衣類品に対しては無効に設定され、
　前記印刷物は、紫外線硬化型インキで印刷され、
　固有のバーコードおよび／またはＱＲコードがイベントの詳細を提供し、前記衣類品が２以上の固有の熱転写物を有する、マーチャンダイジング物品。
　　【請求項１０】
　前記テキスト及び写真は、スポンサーのイメージ又は前記特定イベントのロゴを含む、請求項９に記載のマーチャンダイジング物品。
　　【請求項１１】
　前記衣類品は、前記スポンサーのイメージ又は前記特定イベントのロゴに相当する追加の熱転写物を含む、請求項１０に記載のマーチャンダイジング物品。
　　【請求項１２】
　前記テキスト及び写真は、前記特定イベントのユーザ及び座席位置を識別する特定イベントの入場及び入場券を含む、請求項９に記載のマーチャンダイジング物品。
　　【請求項１３】
　前記紫外線硬化型インキは、前記入場券が本物であり、前記ユーザが適法に取得したことを保障するために偽造防止機能に用いられる、請求項９に記載のマーチャンダイジング物品。
　　【請求項１４】
　特定イベントの特定マーチャンダイジング物品上に独特の熱転写物を使用する方法であって、
　特定の視覚的に認識可能な情報と共に前記熱転写物を印刷することと、
　衣類品に前記熱転写物を適用することと、
　特定イベントの入場券として、前記特定マーチャンダイジング物品である前記衣類品を用いることと、
　前記衣類品上の前記熱転写物を装置によりスキャンすることと、
　前記熱転写物のスキャニングにより読み取られた情報がデータベースに保存された情報と照合されることにより、前記特定イベントの入場が許諾されることと、
　前記熱転写物のスキャニングにより読み取られた情報がデータベースに保存された情報と照合されることにより、ユーザの座席位置を識別することと、
を含み、
　印刷物は、テキスト、写真、数字、バーコード、及びＱＲコード（登録商標）を含む視覚的に認識可能な情報を含む、方法。」
第２　当合議体の判断
　１　引用文献の記載及び引用発明
　（１）引用文献１について
　原査定の拒絶の理由で引用文献１として引用され、本件優先日前に日本国内又は外国において、頒布された刊行物である、特開２０１０−２１４６３６号公報（以下「引用文献１」という。）には、以下の記載がある。なお、下線は当合議体が付したものであり、引用発明の認定及び判断等に活用した箇所を示す。
　ア　「【技術分野】【技術分野】
【０００１】
　本発明は、
不織布基材と、該基材上に光学的読み取り情報
視覚により識別される情報
備えた、
印刷物
【背景技術】
【０００２】
　近年、市民マラソン大会やスキー大会が健康ブームなどから盛況になっており、多くの市民が参加している。このような大会では、大会名及び競技者番号を明示したゼッケンを参加者に配布し、競技当日に着用させているが、競技者番号はゼッケン毎に異なるため、大会名を印刷したゼッケンに一枚一枚競技者番号を手作業によりプリントしているのが実状であり、作業負荷とコスト増の問題が生じている。さらに、近年では、参加者の血液型や病歴などを事前に登録しておき、競技の途中で怪我や事故に遭遇した時に、迅速に対処しようとの要望が持ち上がっている。ところが、近年の個人情報の取り扱いについての関心の向上により、そのような個人情報が他人に容易に漏洩することなく、必要な時に迅速に取り出せるように、各自のゼッケンにそのような情報を組み込んでおくことが理想であると考えられるが、このような手段は未だ解決されていない。
　さらには、目の不自由な参加者のために、点字をゼッケンに設けることも要望されているが、点字のような触覚により識別される情報を有するゼッケンを簡易かつ迅速に製造できる技術は未だ開発されていない。」
　イ　「【発明が解決しようとする課題】
【０００８】
　本発明は、各印刷物ごとに異なる情報を光学的読み取り可能に印刷し、印刷された光学的読み取り情報を精度良く読み取れ、かつ耐久性に優れ、簡便で低コストで製造できる印刷物を提供することを目的とする。
　本発明は、各印刷物ごとに共通する触覚により識別される情報と、各印刷物ごとに異なる光学的読み取り可能な情報を有する印刷物を提供することを目的とする。
　本発明は、各印刷物ごとに共通する触覚により識別される情報と、各印刷物ごとに異なる光学的読み取り可能な情報と各印刷物ごとに異なる触覚により識別できる情報を有する印刷物を提供することを目的とする。
　本発明は、上記の印刷物を簡便で低コストで製造できる方法を提供することを目的とする。
【課題を解決するための手段】
【０００９】
　本発明者は、特定の不織布基材に紫外線硬化インクを用いてインクジェット方式により光学的読み取り情報を印刷すると、極めて鮮明に光学的読み取り情報を印刷することができ、これにより光学的読み取り精度が向上し、上記課題を解決できるとの知見に基づいて、本発明を完成させた。
・・・中略・・・
【発明の効果】
【００１１】
　本発明によって、より簡便で低コストに製造できる、風雨や光に対する耐久性に優れた光学的読み取り情報を備える印刷物を提供することができる。特に、不織布と紫外線硬化インクとを組合せることによって、印刷物に極めて鮮明な光学的読み取り情報を備えさせることが可能となり、光学的手段による読み取りの際のエラーの発生を防ぐことができる。また、本発明によって、光学的手段によって読み取ることが好ましい情報がコード化されて印刷された印刷物を提供することが可能となり、個人情報等の管理が必要な情報を含む簡便な印刷物を提供することができる。加えて、印刷物を複数枚含む印刷物セットであって、セット内の各々の印刷物が、互いに異なった情報を示す光学的読み取り情報と、セット内の全ての印刷物に共通の視覚により識別される情報とを備える印刷物セットを、煩雑な工程を必要とせずに簡便に製造することができる。さらには、廃液処理の観点から、染料インク方式等に比べて、紫外線硬化インクの環境負荷は小さい。」
　ウ　「【００２１】
　紫外線硬化インクを用いて
印刷する「光学的読み取り情報」とは、１次元、２次元及び３次元のコード化情報で、例えば、バーコード、ＱＲコード、Data Matrix、PDF417、Maxi Code、Veri Code等の人間は判読（解読）することはできないが専用のリーダを用いることによって内容を判読（解読）可能なものを指す
・・・中略・・・
【００２４】
　本発明の
印刷物
個体の識別標識であることが好ましい。個体の識別標識としては、イベント・レース等のゼッケン及びアミューズメントパーク等の入場券等が挙げられる
・・・中略・・・
【００２６】
　以下、本発明の実施形態の印刷物の一例であるゼッケンの製造方法について説明する。図１は、本発明の実施形態のゼッケン１を示す図面である。ゼッケン１は、マラソン大会のゼッケンであり、少なくとも参加者の人数と等しい枚数が作成される。
　図１に示されているように、ゼッケン１には、マラソン大会の名称２、ゼッケン番号３、バーコード４、およびＱＲコード５が印刷されている。マラソン大会の名称２は、全てのゼッケンに共通であり、ゼッケン番号３、バーコード４，およびＱＲコード５はゼッケン毎に異なっている。
【００２７】
　バーコード４、およびＱＲコード５は、データベースに記憶されているゼッケン着用者の住所、氏名、年齢、血液型、既往症等の個人情報に関連づけられ、バーコードリーダーで読み取られることによって、ゼッケン着用者の個人情報を読み出すことができる。
【００２８】
　先ず、バーコード作成用のデータを生成する。参加申し込み書等の記入事項から入手した、各参加者の住所、氏名、年齢、血液型、既往症等の個人情報を、例えば図２に示すように、参加者番号（個人識別情報）と関連付けて記憶したデータベースを作成し記憶手段に記憶させる。
　次いで、参加者番号と対応付けられたバーコード（光学的読み取り情報）を印刷するためのバーコード信号を、参加者番号毎に生成する。
【００２９】
　次に、印刷作業が行われる。Ａｄｏｂｅイラストレーター（登録商標）等のソフトウエアを用い、マラソン大会の名称２を印刷するための信号と、特定の参加者のゼッケン番号３を印刷するための信号、および特定の参加者の参加者番号（個人識別情報）に対応したバーコード４、およびＱＲコード５を印刷するための信号から参加者毎（ゼッケン毎）に合成デジタルデータを作成する。
　次いで、このデータをインクジェットプリンタに送信し、上述した不織布の表面に上述した紫外線硬化インクで、マラソン大会の名称２、ゼッケン番号３、バーコード４、およびＱＲコード５を印刷する。
【００３０】
　バーコード４、および／またはＱＲコード５に代え、或いはバーコード４、および／またはＱＲコード５に加えて、不織布上に紫外線硬化インクで、点字情報を形成してもよい。」
　エ　「【実施例】
【００３１】
以下に、実施例を挙げて本発明をさらに詳しく説明するが、これらは本発明を限定するものではない。
【００３２】
（実施例１）
以下の要領でマラソン大会用のゼッケンを作製した。
　Ｅ．Ｉ．デュポン製Ｔｙｖｅｋ（登録商標）
不織布
に切断し
視覚により識別される情報として、マラソン大会の名称、ランナーの番号、写真、氏名（アルファベット表記）を収集し
光学的読み取り情報として埋め込む仮想情報として、氏名（漢字表記）、家族の氏名、年齢、住所、性別、電話番号（固定電話番号、携帯電話番号）、緊急連絡先、国籍、血液型、参加レース、既往症、病歴、緊急時における特定の対処薬・治療法、スポーツイベント参加中に預けた物の引渡し番号を収集し
【００３３】
　
仮想情報は、参加者の個人識別情報と関連付けられてデータベース化され、ゼッケンに印刷されるバーコードまたはＱＲコード（登録商標）をバーコードリーダーで読み取ることにより、データベースから読み出すことができるように加工し
【００３４】
　
これらを１つのイメージに合成したデジタルデータを
作成し
インクジェットプリンタ用ＵＶ硬化インク
を用いて
不織布に上記デジタルデータを印刷し
得られたゼッケンのうちの１つのバーコードおよびＱＲコード（登録商標）部分の拡大写真を図３に示す。図３に示されるとおり、ゼッケンのバーコードおよびＱＲコード（登録商標）の境界はクリアでにじみもなく、容易に光学機器による検出が可能な画像が形成された。また、色調・明度も極めて優れていた。」
　オ　「【図１】
【図２】
【図３】
」
　（２）引用文献１に記載された発明
ア　引用物発明１
　引用文献１の【０００１】には、「不織布基材と、該基材上に光学的読み取り情報又はこれに加えて視覚により識別される情報などを備えた、マラソンのゼッケンなどとして好適に使用できる印刷物に関する」こと、【００２１】には、「「光学的読み取り情報」とは、１次元、２次元及び３次元のコード化情報で、例えば、バーコード、ＱＲコード、Data Matrix、PDF417、Maxi Code、Veri Code等の人間は判読（解読）することはできないが専用のリーダを用いることによって内容を判読（解読）可能なものを指す」こと、【００２４】には「本発明の印刷物の種類は特に限定されないが、個体の識別標識であることが好ましい。個体の識別標識としては、イベント・レース等のゼッケン及びアミューズメントパーク等の入場券等が挙げられる」こと、【００３２】〜【００３４】には、実施例１として、「ゼッケン形状」の「不織布」に「視覚により識別される情報」及び「光学的読み取り情報」からなる「デジタルデータ」を「インクジェットプリンタ用ＵＶ硬化インク」を用いて印刷した「印刷物」が記載されている。
　以上勘案すると、引用文献１には、実施例１として、次の発明（以下「引用物発明１」という。）が記載されている。
「　不織布基材と、該基材上に光学的読み取り情報、視覚により識別される情報を備えた印刷物であって、
　印刷物は、イベント・レース等のゼッケン及びアミューズメントパーク等の入場券等の個体の識別標識であり、
　不織布を切断し、視覚により識別される情報として、マラソン大会の名称、ランナーの番号、写真、氏名を収集し、光学的読み取り情報として埋め込む仮想情報として、氏名（漢字表記）、家族の氏名、年齢、住所、性別、電話番号（固定電話番号、携帯電話番号）、緊急連絡先、国籍、血液型、参加レース、既往症、病歴、緊急時における特定の対処薬・治療法、スポーツイベント参加中に預けた物の引渡し番号を収集し、
　仮想情報は、参加者の個人識別情報と関連付けられてデータベース化され、ゼッケンに印刷されるバーコードまたはＱＲコード（登録商標）をバーコードリーダーで読み取ることにより、データベースから読み出すことができるように加工し、
　これらを１つのイメージに合成したデジタルデータを作成し、インクジェットプリンタ用ＵＶ硬化インクを用いて、不織布に上記デジタルデータを印刷した印刷物。」
イ　引用方法発明１
　また、引用文献１の上記記載に基づけば、引用文献１には、引用物発明１の「印刷物」を使用する方法として、次の発明（以下「引用方法発明１」という。）が記載されている。
「　不織布基材と、該基材上に光学的読み取り情報、視覚により識別される情報を備えた印刷物において、
　印刷物は、イベント・レース等のゼッケン及びアミューズメントパーク等の入場券等の個体の識別標識であり、
　不織布を切断し、視覚により識別される情報として、マラソン大会の名称、ランナーの番号、写真、氏名を収集し、光学的読み取り情報として埋め込む仮想情報として、氏名（漢字表記）、家族の氏名、年齢、住所、性別、電話番号（固定電話番号、携帯電話番号）、緊急連絡先、国籍、血液型、参加レース、既往症、病歴、緊急時における特定の対処薬・治療法、スポーツイベント参加中に預けた物の引渡し番号を収集し、
　これらを１つのイメージに合成したデジタルデータを作成し、インクジェットプリンタ用ＵＶ硬化インクを用いて、不織布に上記デジタルデータを印刷し、
　仮想情報は、参加者の個人識別情報と関連付けられてデータベース化され、ゼッケンに印刷されたバーコードまたはＱＲコード（登録商標）をバーコードリーダーで読み取ることにより、データベースから読み出す方法。」
　２　対比及び判断
　（１）請求項１に係る発明について
ア　対比
　本件補正後の請求項１に係る発明（以下「本願発明１」という。）と引用物発明１を対比すると、以下のとおりとなる。
　（ア）特定イベント
　引用物発明１の「マラソン大会」は、本願発明１の「特定イベント」に相当する。
　（イ）基礎材料
　本件出願の明細書の【０００６】には、「基礎材料は一般的に不織布材料であるが、この技術分野に公知である任意の適切な材料であってもよい。」と記載されている。そうしてみると、引用物発明１の「不織布（基材）」は、本願発明１の「基礎材料」に相当するといえる。
　（ウ）印刷物
　引用物発明１の「印刷物」と、本願発明１の「熱転写物」とは、印刷物である点で共通する。
　また、引用物発明１の「印刷物」は、「視覚により識別される情報」と「光学的読み取り情報」とを加工して、「１つのイメージに合成したデジタルデータを作成し」、不織布に印刷されることから、本願発明１の「視覚的に認識可能な情報を有し」という要件を満たす。くわえて、引用物発明１の「印刷物」が備える「光学読み取り情報」（仮想情報）は、「バーコードまたはＱＲコード（登録商標）」で印刷されるものである。
　そうしてみると、引用物発明１の「印刷物」は、本願発明１の「熱転写物」における、「視覚的に認識可能な情報は、テキスト、写真、数字、バーコード、及びＱＲコード（登録商標）を含み」という要件を満たしている。
イ　一致点及び相違点
　（ア）一致点
　本願発明１と引用物発明１は、次の構成で一致する。
「　特定イベントの印刷物であって、
　基礎材料に適用される印刷物を含み、
　前記印刷物は、視覚的に認識可能な情報を有し、前記視覚的に認識可能な情報は、テキスト、写真、数字、バーコード、及びＱＲコード（登録商標）を含む、印刷物。」
　（イ）相違点
　本願発明１と引用物発明１は、次の点で相違する。
（相違点１）
　本願発明１は、「特定マーチャンダイジング物品用の独特の熱転写物」であるのに対し、引用物発明１は「インクジェットプリンタ用ＵＶ硬化インクを用いて」印刷された「印刷物」である点。
（相違点２）
　本願発明１の「基礎材料」は、「特定マーチャンダイジング物品である衣類品の一部であ」るのに対し、引用物発明１の「不織布（基材）」は、このように特定されたものではない点。
（相違点３）
　本願発明１は、「印刷物を有する前記衣類品は、前記特定イベントの入場券であり、前記入場券としての機能は、販売されない衣類品に対しては無効に設定され」るのに対し、引用物発明１は、そのような構成を備えていない点。
（相違点４）
　本願発明１は、「固有のバーコードおよび／またはＱＲコードがイベントの詳細を提供、前記衣料品が２以上の固有の熱転写物を有する」のに対し、引用物発明１は、そのような構成を備えていない点。
ウ　判断
　事案に鑑みて、上記相違点３について検討する。
　（ア）引用物発明１の「印刷物」は、販売されない衣類品に対して入場券としての機能が無効に設定されるものではない。また、原査定の拒絶の理由で参考文献１０として引用された韓国公開特許第１０−２０１３−０１０４８０９号公報（以下「参考文献１０」という。）の段落［００１６］〜［００１７］、参考文献１１として引用された韓国公開特許第１０−２０１３−０１２３０１８号公報（以下「参考文献１１」という。）の段落［００２１］〜［００２２］、参考文献１２として引用された米国特許出願公開第２０１２／０１７４２８８号明細書（以下「参考文献１２」という。）の段落【００５３】、参考文献１３として引用された2013SEASON LAST 3 GAMES 「Ｔシャツチケット」販売開始のお知らせ，［online］，日本，東京ベルディ，２０１３年　９月２６日、インターネット＜ URL：https://www.verdy.co.jp/news/1593＞（以下「参考文献１３」という。）のＴシャツチケット及び参考文献１４として引用された特開２０１４−８１９０７号公報（以下「参考文献１４」という。）の図１〜３等に記載されているように、各種イベントにおいて販売される物品を入場券として用いることは、本件優先日前における周知技術であるものの、販売されない衣類品に対して入場券としての機能を無効に設定することが本件優先日前において技術常識であったことを示す証拠はない。
　以上によれば、上記周知技術を心得た当業者が、仮に引用物発明１に当該周知技術を採用したとしても、相違点３に係る本願発明１の構成に容易に想到し得たとはいえない。
　（イ）以上（ア）のとおりであるから、上記相違点１、２及び４について判断するまでもなく、本願発明１は、当業者が引用物発明１及び参考文献１０〜１４に記載された周知技術に基づいて容易に発明をすることができたものであるとはいえない。
　（ウ）さらに、原査定の拒絶の理由で引用文献２として引用され、本件優先日前に日本国内又は外国において、頒布された刊行物である特表２００１−５０４４０４号公報（以下「引用文献２」という。）、原査定の拒絶の理由で引用文献３として引用され、本件優先日前に日本国内又は外国において、頒布された刊行物である米国特許出願公開第２００３／０２１３８４２号明細書（以下「引用文献３」という。）、原査定の拒絶の理由で引用文献４として引用され、本件優先日前に日本国内又は外国において、頒布された刊行物である特開平１１−５２８６３号公報（以下「引用文献４」という。）、原査定の拒絶の理由で引用文献５として引用され、本件優先日前に日本国内又は外国において、頒布された刊行物である米国特許第５３６４６８８号明細書（以下「引用文献５」という。）、原査定の拒絶の理由で引用文献６として引用され、本件優先日前に日本国内又は外国において、頒布された刊行物である米国特許第４６１０９０４号明細書（以下「引用文献６」という。）、原査定の拒絶の理由で引用文献７として引用され、本件優先日前に日本国内又は外国において、頒布された刊行物である米国特許出願公開第２０１２／０３２０４２８号明細書（以下「引用文献７」という。）、原査定の拒絶の理由で引用文献８として引用され、本件優先日前に日本国内又は外国において、頒布された刊行物である特開平１０−１５７３９９号公報（以下「引用文献８」という。）、原査定の拒絶の理由で引用文献９として引用され、本件優先日前に日本国内又は外国において、頒布された刊行物である特開昭６１−２５４３９９号公報（以下「引用文献９」という。）にも、上記相違点３に係る本願発明１の構成は記載されていない。
　（２）請求項２〜８に係る発明について
　本件出願の請求項２〜８に係る発明は、いずれも、本願発明１に対してさらに他の発明特定事項を付加した発明であるから、本願発明１における全ての発明特定事項を具備するものである。
　そうしてみると、前記（１）ウで述べたのと同じ理由により、これらの発明も、引用文献１〜９に記載された発明及び参考文献１０〜１４に記載された周知技術に基づいて、当業者が容易に発明をすることができたものであるとはいえない。
　（３）請求項９〜１３に係る発明について
　本件出願の請求項９に係る発明（以下「本願発明９」という。その他の請求項に係る発明についても同様に称する。）は、前記「第１」「３」に記載したとおり、「特定イベント」のための「マーチャンダイジング物品」であって、「独特の熱転写物」を含み、前記熱転写物は、「基礎材料に適用される印刷物を含」み、「前記基礎材料」は、「衣類品の一部」であり、「前記印刷物」は、「テキスト、写真、数字、バーコード、及びＱＲコード（登録商標）を含む」「視覚的に認識可能な情報」であり、「前記印刷物を有する前記衣類品は、前記特定イベントの入場券で」あり、「前記入場券としての機能は、販売されない衣類品に対しては無効に設定」され、前記印刷物は、紫外線硬化型インキで印刷され、「固有のバーコードおよび／またはＱＲコードがイベントの詳細を提供し、前記衣類品が２以上の固有の熱転写物を有する」という本願発明１と同じ発明特定事項を具備してなる発明である。また、本願発明１０〜１３は、いずれも、本願発明９に対してさらに他の発明特定事項を付加してなるマーチャンダイジング物品の発明であるから、同じ前記発明特定事項を具備するものである。
　そうしてみると、前記（１）ウで述べたのと同じ理由により、これらの発明も、引用文献１〜９に記載された発明、参考文献１０〜１４に記載された周知技術に基づいて、当業者が容易に発明をすることができたものであるとはいえない。
　（４）請求項１４に係る発明について
ア　対比
　本件補正後の請求項１４に係る発明（以下「本願発明１４」という。）と引用方法発明１を対比すると、以下のとおりとなる。
　（ア）特定イベント
　引用方法発明１の「マラソン大会」は、本願発明１４の「特定イベント」に相当する。
　（イ）印刷物
　本願発明１４の「熱転写物」は、印刷物であるという点で引用方法発明１の「印刷物」と共通する。また、引用方法発明１の「印刷物」は、「視覚により識別される情報」と「光学的読み取り情報」とを加工して、「１つのイメージに合成したデジタルデータを作成し」、不織布に印刷していることから、本願発明１４の「特定の視覚的に認識可能な情報と共に印刷すること」という要件を満たす。さらに、引用方法発明１の「光学読み取り情報」は「バーコードまたはＱＲコード（登録商標）」を印刷することから、本願発明１４の「印刷物は、テキスト、写真、数字、バーコード、及びＱＲコード（登録商標）を含む視覚的に認識可能な情報を含む」という要件を満たしている。
　（ウ）装置によりスキャンすること、情報と照合されること
　引用方法発明１の「バーコードリーダー」は、「印刷されたバーコードまたはＱＲコード（登録商標）」を読み取るものであるから、本願発明１４の「装置」に相当し、引用方法発明１は、本願発明１４の「装置によりスキャンすること」という構成を備える。
　また、引用方法発明１においては、「氏名（漢字表記）」等の「仮想情報」は、「印刷されたバーコードまたはＱＲコード（登録商標）をバーコードリーダーで読み取ることにより、データベースから読み出」されるものであるから、バーコードリーダーで読み取られた情報とデータベースから読み出す情報との照合が行われることは明らかである。そうすると、引用方法発明１は、本願発明１４の「スキャニングにより読み取られた情報がデータベースに保存された情報と照合される」との工程を具備するといえる。
イ　一致点及び相違点
　（ア）一致点
　本願発明１４と引用方法発明１は、次の構成で一致する。
「　特定イベントの印刷物を使用する方法であって、
　特定の視覚的に認識可能な情報と共に印刷物を印刷することと、
　
　前記印刷物を装置によりスキャンすることと、
　前記印刷物のスキャニングにより読み取られた情報がデータベースに保存された情報と照合されることと、
を含み、
　印刷物は、テキスト、写真、数字、バーコード、及びＱＲコード（登録商標）を含む視覚的に認識可能な情報を含む、方法」
　（イ）相違点
　本願発明１４と引用方法発明１は、次の点で相違する。
（相違点１）
　本願発明１は「熱転写物」であるのに対し、引用方法発明１は「インクジェットプリンタ用ＵＶ硬化インクを用いて」印刷された「印刷物」である点。
（相違点２）
　本願発明１４は、「特定マーチャンダイジング物品上に独特の熱転写物を使用する」、「衣類品に熱転写物を適用すること」を備えるのに対し、引用方法発明１は、そのような構成を備えていない点。
（相違点３）
　本願発明１４は、「特定イベントの入場券として、前記特定マーチャンダイジング物品である前記衣類品を用いること」、「前記熱転写物のスキャニングにより読み取られた情報がデータベースに保存された情報と照合されることにより、前記特定イベントの入場が許諾されること」を備えるのに対し、引用方法発明１は、そのような構成を備えていない点。
（相違点４）
　本願発明１４は「スキャニングにより読み取られた情報がデータベースに保存された情報と照合されることにより、ユーザの座席位置を識別すること」を備えるのに対し、引用方法発明１は、そのような構成を備えていない点。
ウ　判断
　事案に鑑みて、上記相違点４について検討する。
　（ア）引用方法発明１は、「参加者の個人識別情報」を「データベースから読み出す」ことが記載されているものの、「個人識別情報」は「氏名（漢字表記）、家族の氏名、年齢、住所、性別、電話番号（固定電話番号、携帯電話番号）、緊急連絡先、国籍、血液型、参加レース、既往症、病歴、緊急時における特定の対処薬・治療法、スポーツイベント参加中に預けた物の引渡し番号」であって、ユーザの座席位置を識別することについては記載がない。また、原査定の拒絶の理由で引用された参考文献１０〜１４に記載されているように、各種イベントにおいて販売される物品を入場券として用いることは、本件優先日前における周知技術であるものの、ユーザの座席位置を識別することが本件優先日前において技術常識であったことを示す証拠はない。
　以上によれば、上記周知技術を心得た当業者が、仮に引用方法発明１に当該周知技術を採用したとしても、相違点４に係る本願発明１４の構成に容易に想到し得たとはいえない。
　（イ）以上（ア）のとおりであるから、上記相違点１〜３について判断するまでもなく、本願発明１４は、当業者が引用方法発明１及び参考文献１０〜１４に記載された周知技術に基づいて容易に発明をすることができたものであるとはいえない。
　（ウ）さらに、引用文献２〜９にも、上記相違点４に係る本願発明１４の構成は記載されていない。
第３　むすび
　以上のとおり、本件出願の請求項１〜１４に係る発明は、引用文献１〜９に記載された発明及び参考文献１０〜１４に記載された周知技術に基づいて当業者が容易に発明をすることができたものであるとはいえない。
　したがって、原査定の理由によっては、本件出願を拒絶することはできない。
　また、他に本件出願を拒絶すべき理由を発見しない。
　よって、結論のとおり審決する。